(57)【要約】【課題】再剥離可能な接着剤で貼り合わされた葉書の開封部が送付途中で剥がれることがないように葉書の開封部を葉書の平坦部に設けた葉書シート及びこの葉書シートから葉書を作製する葉書の作製方法を提供する。【解決手段】前記課題の目的を達成するために、中央部に形成された折畳予定部で折り畳まれ、折り畳まれた内側に形成された第一の接着構造部と前記折り畳み予定部に平行な紙端部に形成された第二の接着構造部によって貼り合わされて葉書となる葉書シートであって、前記折畳予定部の一方の片側紙片には、前記折畳予定部に平行に開封のための開封予定部が形成された葉書シート及びこの葉書シートから葉書を作製する葉書の作製方法を提供する。【選択図】  図１
2010023261.tif 000002
【特許請求の範囲】
【請求項１】
中央部に形成された折畳予定部で折り畳まれ、折り畳まれた内側に形成された第一の接着構造部と前記折り畳み予定部に平行な紙端部に形成された第二の接着構造部によって貼り合わされて葉書となる葉書シートであって、
前記折畳予定部の一方の片側紙片には、前記折畳予定部に平行に開封のための開封予定部が形成されたことを特徴とする葉書シート。
【請求項２】
請求項１に記載の葉書シートにおいて、
第一の接着構造部には再剥離可能再貼付不可能な接着剤又は再剥離可能再貼付可能な接着剤が形成され、
前記再剥離可能再貼付不可能な接着剤が形成される場合は前記第一の接着構造部全面に形成され、
前記再剥離可能再貼付可能な接着剤が形成される場合は前記折畳予定部の片側、開封予定部が形成された紙片全面に形成され、
第二の接着構造部には、再剥離不可能な感圧接着剤が形成されたことを特徴とする葉書シート。
【請求項３】
請求項２に記載の第一の接着構造部に再剥離可能再貼付不可能な接着剤が形成される葉書シートから葉書を作製する葉書の作製方法であって、少なくとも、
第一の接着構造部に再剥離可能再貼付不可能な接着構造が形成される工程と、葉書シートの第一の接着構造部形成面に送信情報をプリントする工程と、第一の接着構造部が形成された面の逆面に宛先情報をプリントする工程と、葉書シートの折畳予定部で折り畳んで第一の接着構造部及び第二の接着構造部同士を貼り合わせる工程と、貼り合わせ直後に開封予定部に切込みを形成する工程と、からなることを特徴とする葉書の作製方法。
【請求項４】
請求項２に記載の第一の接着構造部に再剥離可能再貼付可能な接着剤が形成される葉書シートから葉書を作製する葉書の作製方法であって、少なくとも、
前記第一の接着構造部形成側の前記折畳予定部の片側、開封予定部が形成されない紙片側に送信情報をプリントする工程と、送信情報がプリントされた裏側に宛先情報をプリントする工程と、前記送信情報がプリントされた面と同一面の開封予定部が形成された紙片側の全面に再剥離可能再貼付可能な接着構造を形成する工程と、葉書シートを折畳予定部で折り畳んで第一の接着構造部及び第二の接着構造部で葉書シートを貼り合わせる工程と、貼り合わせ直後に開封予定部に切込みを形成する工程と、からなることを特徴とする葉書の作製方法。
【発明の詳細な説明】
【技術分野】
【０００１】
本発明は、再剥離可能な接着剤で貼り合わされた葉書の開封部が送付途中で剥がれることがないように葉書の開封部を葉書の平坦部に設けた葉書シート及びこの葉書シートから葉書を作製する葉書の作製方法に関する。
【背景技術】
【０００２】
近年、予め再剥離型接着剤が形成された面に送信情報をプリントした後、二つ折りにし、再剥離型接着剤形成面同士を圧着し、プリント情報を保護して送付する圧着葉書が使用されている。
図６を参照して、上記従来の圧着葉書の一例について説明する。
ａ図に示す葉書の例は、二つ折り形式の葉書シート（図示せず）に宛先情報５００をプリントし、図示しないが、圧着面にも送信情報をプリントして、折畳予定部５１で折り畳んで圧着し、葉書７０としたものである。
葉書７０には、開封部２００にコーナカットなどを形成して、開封し易いようにしている場合が多い。
開封部２００は、宛先情報がプリントされている面に形成されている場合や、裏面に形成されている場合がある。
ｂ図は、ａ図のＢ−Ｂ線断面を示したものである。再剥離型接着剤（感圧接着剤）２０が塗布された面を内側にして折畳予定部５１で葉書シート基紙５０を折り畳み、圧着すると、感圧接着面（感圧接着剤の表面）にプリントされた送信情報５１０が保護された状態の葉書が出来上がる。
葉書の表出面には宛先情報５００が予め両面プリンタなどでプリントされている。
送信情報５１０と宛先情報５００がプリントされた葉書は送付されるが、送付途中で何らかの力が加わって貼り合わせの境界部分（矢印の符号２００で示した部分）で一部剥がれてしまう場合が発生する。
その結果、貼り合わせ面にプリントされた送信情報（個人情報）５１０が覗き見される可能性が生じる。
ｃ図は、ｂ図に示す葉書を開封部２００で開封した状態を示している。葉書の再剥離型接着剤（感圧接着剤）２０が塗布された面には送信情報５１０が、逆面には宛先情報５００がプリントされている。
【０００３】
そこで、秘密情報記載欄の内面同士を閉じ合わせ、葉書用紙を３つ折りして圧着加工して作製した隠蔽式圧着葉書において、充分な情報面積を確保し、生産コストが安く、かつ、接着の剥がれがなく、充分な親展性を確保した隠蔽式圧着葉書が提供されている（特許文献１参照）。
特許文献１に記載されている内容によれば、「３つ折り可能で、秘密情報を記載する秘密情報記載欄を備えた葉書用紙の秘密情報記載欄の内面同士を閉じ合わせ、略Ｚ字状に圧着加工して、形成された隠蔽式圧着葉書において、葉書用紙の一方側の秘密情報記載欄と連接する折返し縁部を延設し、葉書用紙を略Ｚ字状に３つ折りする際、この折返し縁部により端縁部分の厚みを増大させて、強接着部Ａを設定することにより、秘密情報記載欄内面同士の接着剥がれを防止することができる」としている。
【０００４】
【特許文献１】特開平９−１９５９号公報
【発明の開示】
【発明が解決しようとする課題】
【０００５】
そこで、本発明は、再剥離可能な接着剤で貼り合わされた葉書の開封部が送付途中で剥がれることがないように葉書の開封部を葉書の平坦部に設けた葉書シート及びこの葉書シートから葉書を作製する葉書の作製方法を提供することを目的とするものである。
【課題を解決するための手段】
【０００６】
前記課題の目的を達成するために、本発明の葉書シートの第一の態様は、中央部に形成された折畳予定部で折り畳まれ、折り畳まれた内側に形成された第一の接着構造部と前記折り畳み予定部に平行な紙端部に形成された第二の接着構造部によって貼り合わされて葉書となる葉書シートであって、前記折畳予定部の一方の片側紙片には、前記折畳予定部に平行に開封のための開封予定部が形成されたことを特徴とするものである。
【０００７】
また、第二の態様は、第一の態様において、第一の接着構造部には再剥離可能再貼付不可能な接着剤又は再剥離可能再貼付可能な接着剤が形成され、前記再剥離可能再貼付不可能な接着剤が形成される場合は前記第一の接着構造部全面に形成され、前記再剥離可能再貼付可能な接着剤が形成される場合は前記折畳予定部の片側、開封予定部が形成された紙片全面に形成され、第二の接着構造部には、再剥離不可能な感圧接着剤が形成されたことを特徴とするものである。
【０００８】
また、第三の態様は、第二の態様の第一の接着構造部に再剥離可能再貼付不可能な接着剤が形成される葉書シートから葉書を作製する葉書の作製方法であって、少なくとも、
第一の接着構造部に再剥離可能再貼付不可能な接着構造が形成される工程と、葉書シートの第一の接着構造部形成面に送信情報をプリントする工程と、第一の接着構造部が形成された面の逆面に宛先情報をプリントする工程と、葉書シートの折畳予定部で折り畳んで第一の接着構造部及び第二の接着構造部同士を貼り合わせる工程と、貼り合わせ直後に開封予定部に切込みを形成する工程と、からなることを特徴とするものである。
【０００９】
また、第四の態様は、第二の態様の第一の接着構造部に再剥離可能再貼付可能な接着剤が形成される葉書シートから葉書を作製する葉書の作製方法であって、少なくとも、前記第一の接着構造部形成側の前記折畳予定部の片側、開封予定部が形成されない紙片側に送信情報をプリントする工程と、送信情報がプリントされた裏側に宛先情報をプリントする工程と、前記送信情報がプリントされた面と同一面の開封予定部が形成された紙片側の全面に再剥離可能再貼付可能な接着構造を形成する工程と、葉書シートを折畳予定部で折り畳んで第一の接着構造部及び第二の接着構造部で葉書シートを貼り合わせる工程と、貼り合わせ直後に開封予定部に切込みを形成する工程と、からなることを特徴とするものである。
【発明の効果】
【００１０】
１）第一の態様のように、中央部に形成された折畳予定部で折り畳まれ、折り畳まれた内側に形成された第一の接着構造部と前記折り畳み予定部に平行な紙端部に形成された第二の接着構造部によって貼り合わされて葉書となる葉書シートであって、前記折畳予定部の一方の片側紙片には、前記折畳予定部に平行に開封のための開封予定部が形成されたことによって、開封予定部が平坦部に設けられているために送付途中で何らかの外力が加わっても、従来のように貼り合わせ部が容易に剥がれることがない。
また、葉書シートの第一の接着構造部が形成された側の対向する端部には、前記開封予定部に平行に第二の接着構造部（後述する再剥離不可能な接着剤）が形成されているために、葉書のエッジに何らかの外力が加わっても従来のように貼り合わせ部が容易に剥がれることがない。
２）また、第二の態様のように、第一の態様において、第一の接着構造部には再剥離可能再貼付不可能な接着剤又は再剥離可能再貼付可能な接着剤が形成され、前記再剥離可能再貼付不可能な接着剤が形成される場合は前記第一の接着構造部全面に形成され、前記再剥離可能再貼付可能な接着剤が形成される場合は前記折畳予定部の片側、開封予定部が形成された紙片全面に形成され、第二の接着構造部には、再剥離不可能な感圧接着剤が形成されたことによって、第一の接着構造部に接着力の弱い再剥離可能再貼付可能な接着剤が形成されても、前述の理由で、送付途中で開封予定部から剥がれることがない。
また、葉書シートの第一の接着構造部が形成された側の対向する端部には、前記開封予定部に平行に接着強度が大きな接着剤が帯状に形成されているために、第一の接着構造部に接着力の弱い接着剤が使用されても、従来のように貼り合わせ部から容易に剥がれることがない。
３）また、第三の態様のように、第二の態様の第一の接着構造部に再剥離可能再貼付不可能な接着剤が形成される葉書シートから葉書を作製する葉書の作製方法であって、少なくとも、第一の接着構造部に再剥離可能再貼付不可能な接着構造が形成される工程と、葉書シートの第一の接着構造部形成面に送信情報をプリントする工程と、第一の接着構造部が形成された面の逆面に宛先情報をプリントする工程と、葉書シートの折畳予定部で折り畳んで第一の接着構造部及び第二の接着構造部同士を貼り合わせる工程と、貼り合わせ直後に開封予定部に切込みを形成する工程とからなることによって、葉書シート製造場所と送信情報等のプリント場所が異なっても葉書を作製することができる。
４）また、第四の態様のように、第二の態様の第一の接着構造部に再剥離可能再貼付可能な接着剤が形成される葉書シートから葉書を作製する葉書の作製方法であって、少なくとも、前記第一の接着構造部形成側の前記折畳予定部の片側、開封予定部が形成されない紙片側に送信情報をプリントする工程と、送信情報がプリントされた裏側に宛先情報をプリントする工程と、前記送信情報がプリントされた面と同一面の開封予定部が形成された紙片側の全面に再剥離可能再貼付可能な接着構造を形成する工程と、葉書シートを折畳予定部で折り畳んで第一の接着構造部及び第二の接着構造部で葉書シートを貼り合わせる工程と、貼り合わせ直後に開封予定部に切込みを形成する工程とからなることによって、送信情報等のプリンタが葉書シート製造場所に設備されている場合に好適に対応できる。
【発明を実施するための最良の形態】
【００１１】
以下、図面を参照して本実施の形態の葉書シート及びこの葉書シートから葉書を作製する葉書の作製方法について詳細に説明する。
図１は、葉書シートの一実施形態について説明するための図，図２は、図１の葉書シートが貼り合わされて葉書になった状態について説明するための図，図３は、図２のＡ−Ａ線断面の一例について説明するための図，図４は、図２のＡ−Ａ線断面の他の一例について説明するための図，図５は、図３の開封部で葉書を展開した状態について説明するための図，図６は、従来の葉書シートの一例について説明するための図，である。
【００１２】
図１，図２を参照して、葉書シートの一実施形態について説明する。
葉書シート１は、図１に示す葉書シート１の裏面に宛先情報１００がプリント（以下、印字ともいう）され、第一の接着構造部２，第二の接着構造部３が形成された面に送信情報１１０がプリントされた後、葉書シート１の中央部の折畳予定部１１で折り畳まれ、第一の接着構造部２により貼り合わされて葉書となる。
前記宛先情報１００がプリントされた紙片の隣の紙片の同一面には、他人に読まれてもよい送信情報などをプリントすることができる。
【００１３】
前記折畳予定部１１を境界にして片側紙片には、前記折畳予定部１１に平行に開封予定部１２が形成されている。
また、葉書シート１の対向する端部の第一の接着構造部２が形成されている側には、前記開封予定部１２に平行に、第二の接着構造部３が形成されている。
第二の接着構造部３は図では帯状に形成された状態になっているが、線状でも、直線上に並んだ点の集合でもよい。
第一の接着構造部２には再剥離可能再貼付不可能な接着剤又は再剥離可能再貼付可能な接着剤が形成される。第一の接着構造部２に再剥離可能再貼付不可能な接着剤が形成される場合は、第一の接着構造部２の全面に形成される。
また、第一の接着構造部２に再剥離可能再貼付可能な接着剤が形成される場合は、折畳予定部１１の片側の開封予定部１２が形成された紙片全面に形成される。前記再剥離可能再貼付可能な接着剤の粘着強度によっては、残る片側（送信情報１１０が印字される面）に剥離剤を形成することがある。即ち、再剥離可能再貼付可能な接着剤の粘着力が大の場合は剥離剤を形成し、再剥離可能再貼付可能な接着剤の粘着力が小の場合は剥離処理は行わない。
【００１４】
葉書シート１の開封予定部１２は、折畳予定部１１と紙端の中央部，何れかの端部に近い位置の何れの場所に形成されてもよい。
シートの状態で、または、連続フォーム状で作製された葉書シート１が、折畳予定部１１で折り畳まれ、貼り合わされた後、最終的に葉書にカットされる前に貼り合わせ装置に取り付けられたスリッターなどによって、開封予定部１２に切込みが形成され、開封部が形成される。
開封予定部１２の切込みは、葉書シート基紙１０を貫通し、第一の接着構造部２に届く状態で形成される。
【００１５】
折畳予定部１１には、筋押しやミシン目状の切込みが形成され、折り畳み易い状態が形成される。
【００１６】
図３を参照して、図２のＡ−Ａ線断面の一例について説明する。
図３に示す例は、第一の接着構造部２に再剥離可能再貼付不可能な接着剤が形成された場合の一例である。
先ず、葉書シート基紙の片面に再剥離可能再貼付不可能な接着剤による第一の接着構造部２を形成する。さらに、葉書シートの両端部に、再剥離不可能な感圧接着剤による第二の接着構造部３を形成する。第一の接着構造部２，第二の接着構造部３を乾燥させた後、第一の接着構造部２形成面に送信情報１１０をプリントする。さらに、送信情報１１０プリント面の裏面に宛先情報１００をプリントする。圧着装置によって葉書シート基紙１０を折畳予定部１１で折り畳み、開封予定部１２に切込みを形成して葉書とする。
【００１７】
第一の接着構造部２に再剥離可能再貼付可能な接着剤が形成された場合の一例について説明する。
再剥離可能再貼付可能な接着剤は、図３の折畳予定部１１の片側、開封予定部が形成された紙片全面に形成される。また、第二の接着構造部には、再剥離不可能な感圧接着剤が形成される。
図示しないが、再剥離可能再貼付可能な接着剤の粘着強度によっては、残る片側（宛先情報が印字されている紙片）の第一の接着構造部に剥離層を形成することがある。再剥離可能再貼付可能な接着剤の粘着力が小の場合は剥離層は形成しない。
【００１８】
葉書シートの第一の接着構造部が形成された側の対向する端部には、前記開封予定部１２に平行に第二の接着構造部３が接着強度が大きな接着剤によって形成されている。
このことによって、第一の接着構造部に接着力の弱い接着剤（粘着剤）が使用されても、従来のように貼り合わせ部から容易に剥がれることがない。
【００１９】
第一の接着構造部２に再剥離可能再貼付可能な接着剤を形成する場合、第一の接着構造部２を形成する前に第一の接着構造部２形成予定面に送信情報１１０をプリントする。さらに、送信情報１１０プリント面の裏面に宛先情報１００をプリントする。
送信情報１１０と宛先情報１００がプリントされた葉書シートの送信情報１１０プリント面に第二の接着構造部３と再剥離可能再貼付可能な接着剤を形成し同一ライン上で、葉書シート基紙１０を折畳予定部１１で折り畳み、貼りあわせた後開封予定部１２に切込みを形成して葉書とする。
【００２０】
図４を参照して、図２のＡ−Ａ線断面の他の一例について説明する。
図４に示す例は、第一の接着構造部２が擬似接着構造になっている例で、折り畳まれて内側になる面に擬似接着剤が形成され、その逆面に感圧接着剤が形成された透明な樹脂フィルムが葉書シート基紙１０の間に挟まれて圧着された擬似接着構造になっている。
先ず、葉書シート基紙１０の第一の接着構造部を形成する面に第二の接着構造部３を形成し乾燥する。
次に、第二の接着構造部３が形成された面に送信情報１１０をプリントし、さらに、送信情報１１０プリント面の逆面に宛先情報１００をプリントする。
送信情報１１０と宛先情報１００がプリントされた葉書シートを、送信情報１１０が内側になるように折畳予定部１１で折り畳み、送信情報プリント面に擬似接着シートを挟み、圧着装置によって葉書シートを圧着する。圧着装置によって開封予定部１２に擬似接着シートの透明なプラスチックシート４を貫通する切込みを形成して葉書とする。
【００２１】
図５を参照して図３の開封部で葉書を開封した状態について説明する。
図３に示す葉書を上下逆にして、開封予定部１２に形成された切込から葉書シート基紙１０を矢印の方向に、左右に展開すると、図５に示す状態になる。
展開された一方の紙片は、第二の接着構造部３で折り曲げられた状態になり、残る一方の紙片は、折畳予定部１１で平らに伸ばされた状態になり、プリントされた送信情報１１０が表出する状態になる。
上記のように、開封予定部１２が平坦部に設けられているために送付途中で何らかの外力が加わっても、図６で説明した従来の葉書のように貼り合わせ部が容易に剥がれて、送信情報が覗き見される状態にはならない。
【００２２】
（材料）
図３，図４を一部参照して、本発明の葉書シートに使用される材料の一例について説明する。
葉書シート１の葉書シート基紙１０に使用される材料として、例えば、上質紙，中質紙，下級紙，色上質紙等の非塗工紙、アート紙，コート紙，軽量コート紙等の塗工紙、エンボス紙，キャストコート紙，クラフト紙等から適宜選択して使用する。
葉書シート基紙１０の坪量は、葉書に仕上げられたときに、第一，第二の接着構造部を合せて６ｇ以内になるよう１２８〜１５７ｇ／ｍ2の紙の中から選択する。
【００２３】
第一の接着構造部２に使用される再剥離可能再貼付不可能な接着剤は、ゴム系又はアクリル系接着主剤中に微粒子を添加した接着剤が両面に設けられた構造とする。
第一の接着構造部２に使用される再剥離可能再貼付可能な接着剤（ポストイット型粘着剤）を使用する場合は、粘着剤に微球を添加したものや、粘着剤に硬化剤を添加したものを使用する。
第二の接着構造部３に使用される接着剤は、例えば、アクリル系樹脂，ビニル系樹脂，ポリエステル系樹脂，ウレタン系樹脂，アミド系樹脂，エポキシ系樹脂，ゴム系樹脂，アイオノマー系樹脂等の、公知の接着剤の中から選択して使用する。
【００２４】
擬似接着剤６に使用される接着剤として、熱可塑性樹脂による接着剤層と剥離層からなる構造、オレフィン樹脂／非オレフィン樹脂を共押し出しされて積層された構造、親展はがきで使用されるゴム系接着主剤中に微粒子を添加した擬似接着剤が片面ないし両面に設けられた構造等、の公知の擬似接着構造を利用する。
前述の、擬似接着構造部６に使用される接着剤や、第一の接着構造部２に使用される接着剤や粘着剤は透明性を有するものを選択する。
【００２５】
また、図示しないが、葉書シートの図柄を印刷によって行う場合は、市販の紫外線硬化型のオフセットインキを使用する。葉書のロットが小さい場合は、図柄も宛先情報や送信情報と一緒にプリントする。
また、剥離層はオフセットタイプのＵＶインキを印刷することによって形成する。
【産業上の利用可能性】
【００２６】
送付情報が保護されなければならない葉書に利用できる。
【図面の簡単な説明】
【００２７】
【図１】葉書シートの一実施形態について説明するための図である。
【図２】図１の葉書シートが貼り合わされて葉書になった状態について説明するための図である。
【図３】図２のＡ−Ａ線断面の一例について説明するための図である。
【図４】図２のＡ−Ａ線断面の他の一例について説明するための図である。
【図５】図３の開封部で葉書を開封した状態について説明するための図である。
【図６】従来の葉書シートの一例について説明するための図である。
【符号の説明】
【００２８】
１      葉書シート
２      第一の接着構造部
３      第二の接着構造部
４      透明樹脂フィルム
６      擬似接着剤
７，７０  葉書
１０，５０  葉書シート基紙
１１，５１  折畳予定部
１２，２００  開封予定部，開封部，切込み
２０    感圧接着剤
１００，５００  宛先情報
１１０，５１０  送信情報
【図１】
2010023261.tif 000003
【図２】
2010023261.tif 000004
【図３】
2010023261.tif 000005
【図４】
2010023261.tif 000006
【図５】
2010023261.tif 000007
【図６】
2010023261.tif 000008